(57)【要約】【課題】受信する放送信号の受信品質を用いて、２つの放送信号を切り替えて録画する場合に、記録したサイマル放送中の複数の放送データを再生する際に、記録時に分断される放送データを一貫した放送コンテンツとして再生する放送受信記録装置及びプログラムを提供する。【解決手段】地上デジタルハイビジョン放送等の主放送とワンセグ放送等の副放送を、その受信品質に応じて切り替えて録画する。そして切替録画により生じた主放送データと副放送データからなる複数の分断化された放送データについて、その符号化方式及び解像度が同一となるように変換し、一貫した放送データとして結合する。【選択図】図１
2010283621.tif 000002
【特許請求の範囲】
【請求項１】
第１の放送信号を受信する第１の放送受信手段と、
第２の放送信号を受信する第２の放送受信手段と、
前記第１の放送受信手段により受信された前記第１の放送信号と前記第２の放送受信手段により受信された前記第２の放送信号の受信品質を取得する受信品質取得手段と、
前記第１の放送信号による放送と前記第２の放送信号による放送とが実質的に同一であるか否かを判別するサイマル放送判別手段と、
前記サイマル放送判別手段により実質的に同一であると判別された場合、前記受信品質取得手段により取得された前記第１の放送信号と前記第２の放送信号の受信品質に基づいて、前記第１の放送受信手段により受信された前記第１の放送信号と前記第２の放送受信手段により受信された前記第２の放送信号のうち少なくとも何れか１つを選択する選択手段と、
前記選択手段により選択された前記第１の放送信号と前記第２の放送信号を互いに共通の符号化方式に変換する変換手段と、
前記変換手段により変換された前記第１の放送信号と前記第２の放送信号を連続的に再生可能な放送データとなるように結合する結合手段と、
前記結合手段により結合された放送データを記憶する記憶手段と、
を備えることを特徴とする放送受信記録装置。
【請求項２】
前記変換手段は、前記選択手段により選択された前記第１の放送信号と前記第２の放送信号を、前記第１の放送信号又は前記第２の放送信号のうち何れか一方の符号化方式に変換する、
ことを特徴とする請求項１に記載の放送受信記録装置。
【請求項３】
前記変換手段は、前記選択手段により選択された前記第１の放送信号と前記第２の放送信号を互いに共通の解像度に変換する、
ことを特徴とする請求項１または２に記載の放送受信記録装置。
【請求項４】
前記変換手段は、前記選択手段により選択された前記第１の放送信号と前記第２の放送信号を、前記第１の放送信号の解像度と前記第２の放送信号の解像度との間にある任意の解像度に変換する、
ことを特徴とする請求項１乃至３のいずれか１項に記載の放送受信記録装置。
【請求項５】
前記選択手段により選択された前記第１の放送信号と前記第２の放送信号を記憶する放送信号記憶手段をさらに備え、
前記変換手段は、前記放送信号記憶手段に記憶された前記第１の放送信号と前記第２の放送信号を互いに共通の符号化方式に変換する、
ことを特徴とする請求項１乃至４のいずれか１項に記載の放送受信記録装置。
【請求項６】
前記選択手段は、前記受信品質取得手段により取得された第１の放送信号の受信品質が所定の値を超えたと判別した場合に第１の放送信号を選択し、超えていないと判別した場合に第２の放送信号を選択する、
ことを特徴とする請求項１乃至５のいずれか１項に記載の放送受信記録装置。
【請求項７】
前記第１の放送信号は、デジタルハイビジョン放送の放送信号であり、
前記第２の放送信号は、ワンセグ放送の放送信号である、
ことを特徴とする請求項１乃至６のいずれか１項に記載の放送受信記録装置。
【請求項８】
コンピュータを、
第１の放送信号を受信する第１の放送受信手段と、
第２の放送信号を受信する第２の放送受信手段と、
前記第１の放送受信手段により受信された前記第１の放送信号と前記第２の放送受信手段により受信された前記第２の放送信号の受信品質を取得する受信品質取得手段と、
前記第１の放送信号による放送と前記第２の放送信号による放送とが実質的に同一であるか否かを判別するサイマル放送判別手段と、
前記サイマル放送判別手段により実質的に同一であると判別された場合、前記受信品質取得手段により取得された前記第１の放送信号と前記第２の放送信号の受信品質に基づいて、前記第１の放送受信手段により受信された前記第１の放送信号と前記第２の放送受信手段により受信された前記第２の放送信号のうち少なくとも何れか１つを選択する選択手段と、
前記選択手段により選択された前記第１の放送信号と前記第２の放送信号を互いに共通の符号化方式に変換する変換手段と、
前記変換手段により変換された前記第１の放送信号と前記第２の放送信号を連続的に再生可能な放送データとなるように結合する結合手段と、
前記結合手段により結合された放送データを記憶する記憶手段と、
として機能させることを特徴とするプログラム。
【発明の詳細な説明】
【技術分野】
【０００１】
本発明は、放送信号を受信して記録できる放送受信記録装置及びプログラムに関する。
【背景技術】
【０００２】
地上デジタル放送を受信する受信装置は、受信信号からトランスポートストリーム（ＴＳ）に復調するチューナを備え、ＴＳから各種パケットを分離した後、デコーダがパケットから生成したデータストリームを復号化することによって、映像音声やデータを生成する。地上デジタル放送では、１つの放送局に割り当てられた周波数帯を１３個のセグメントに分割し、そのうち１つのセグメントを使って基地局からワンセグ放送を抽出している。また、残りの１２個のセグメントを使ってハイビジョン放送を送出している。
【０００３】
このうち、ワンセグ放送は、携帯受信機向けに規格化された放送であり、受信電波のＣＮ比（Carrier to Noise Ratio）が約７ｄＢ以上であれば放送データをほぼ正しく復号できるように、強力な誤り訂正機能が採用されている。一方、ハイビジョン放送は固定受信機向けに規格化された放送であるため、正しく復号するために最低限必要なＣＮ比は約２０ｄＢとされている。従って、受信感度の低いアンテナ等を用いてハイビジョン放送を受信する場合、電界強度の弱いエリアでは、必要なＣＮ比を確保できないことがある。このとき、同一の番組を放送しているワンセグ放送に切り替えて番組を表示すると、ユーザは手間無く同じ番組を続けて視聴することができ、利便性がよい。また、電界強度の弱いエリアから強いエリアに移動したときに、ワンセグ放送からフルセグ放送に自動的に切り替えて番組を表示した場合も同様である。
【０００４】
特許文献１には、高ビットレートと低ビットレートの２つのデジタル放送について、ＥＰＧ（電子番組表）のデータに含まれる番組に関する文字情報、開始終了時刻等を利用してサイマル放送であるかを判別し、放送信号の出力を切り替える技術が開示されている。この切り替え機能は、ワンセグ放送とハイビジョン放送がサイマル放送であること、すなわち、デジタル放送の放送局が同一の番組を送出していることが前提となっている。なぜなら、２つの放送がサイマル放送ではなく、かつ、放送の視聴中や録画中にユーザが電界強度の強弱エリアの境界を跨いでしまった場合、視聴していた番組とは異なる番組に切り替わってしまうためである。
【０００５】
また、特許文献２には、デジタル放送とアナログ放送がサイマル放送であるか判別する処理において、デジタル放送波に含まれる、デジタル放送と同一の番組を送出しているアナログ放送のチャンネルの対応関係を表すチャンネルマップに基づく方法や、双方の映像、音声信号の相関度を検出して判別する方法が開示されている。
【０００６】
また、特許文献３には、デジタル放送とアナログ放送の両方の電子番組ガイドを用いてサイマル判別を行う方法が開示されている。
【０００７】
また、特許文献４には、特許文献２及び３の問題点として、デジタル放送とアナログ放送を切り替えて録画する場合には、放送データが分断化されて記録されてしまうことが記載されている。さらに、この放送データの分断化の原因として、デジタル放送とアナログ放送の切り替わりのタイミングで再生が停止してしまい、続きを視聴するためには、記録された放送データの中から続きのデータを探し出す操作が必要であることに触れている。
そこで、この操作を無くすために、主たるデジタル放送から副たるアナログ放送への切り替え、もしくはその逆の切り替えが発生した場合には、放送データの記録の過程で生成される複数の映像データストリームを記録終了後に一つの映像データストリームに結合する方法が開示されている。また、記録終了後ではなく、切り替えが発生したときに同一の映像データストリームに連続的に記録するようにする方法についても記載がある。
【０００８】
しかし、上述の特許文献４に記載されている放送データ結合方法では、主たるデジタル放送と副たるアナログ放送における映像サイズや符号化方式が考慮されていない。したがって、主たる放送と副たる放送の解像度が異なる場合、分断化された録画ファイルを単純に結合すると、結合済みの録画ファイルの再生時に表示される映像の解像度が変化し、非常に見づらくなってしまう。また、主たる放送と、副たる放送の符号化方式が異なる場合において、単純に分断化された録画ファイルを結合すると、結合済みの一つの録画ファイルを再生しようとすると、Ｃｏｄｅｃ（Ｃｏｄｅｒ／Ｄｅｃｏｄｅｒ：符号化／復号化アルゴリズム）や映像の解像度が異なるために、録画ファイルの再生処理が複雑になることが考えられる。
【先行技術文献】
【特許文献】
【０００９】
【特許文献１】特開２００７−４９４１０号公報
【特許文献２】特開２００１−１２８０７８号公報
【特許文献３】特開２００１−３０９２７２号公報
【特許文献４】特開２００５−３５４５７０号公報
【発明の概要】
【発明が解決しようとする課題】
【００１０】
本発明はかかる問題点に鑑みてなされたものであって、受信する放送信号の受信品質を用いて、２つの放送信号を切り替えて録画する放送受信記録装置において、記録したサイマル放送中の複数の放送データを再生する際に、記録時に分断される放送データを一貫した放送コンテンツとして再生する放送受信記録装置及びプログラムを提供することを目的とする。
【課題を解決するための手段】
【００１１】
上記目的を達成するため、本発明の第１の観点に係る放送受信記録装置は、
第１の放送信号を受信する第１の放送受信手段と、
第２の放送信号を受信する第２の放送受信手段と、
前記第１の放送受信手段により受信された前記第１の放送信号と前記第２の放送受信手段により受信された前記第２の放送信号の受信品質を取得する受信品質取得手段と、
前記第１の放送信号による放送と前記第２の放送信号による放送とが実質的に同一であるか否かを判別するサイマル放送判別手段と、
前記サイマル放送判別手段により実質的に同一であると判別された場合、前記受信品質取得手段により取得された前記第１の放送信号と前記第２の放送信号の受信品質に基づいて、前記第１の放送受信手段により受信された前記第１の放送信号と前記第２の放送受信手段により受信された前記第２の放送信号のうち少なくとも何れか１つを選択する選択手段と、
前記選択手段により選択された前記第１の放送信号と前記第２の放送信号を互いに共通の符号化方式に変換する変換手段と、
前記変換手段により変換された前記第１の放送信号と前記第２の放送信号を連続的に再生可能な放送データとなるように結合する結合手段と、
前記結合手段により結合された放送データを記憶する記憶手段と、
を備えることを特徴とする。
【００１２】
前記変換手段は、前記選択手段により選択された前記第１の放送信号と前記第２の放送信号を、前記第１の放送信号又は前記第２の放送信号のうち何れか一方の符号化方式に変換してもよい。
【００１３】
前記変換手段は、前記選択手段により選択された前記第１の放送信号と前記第２の放送信号を互いに共通の解像度に変換してもよい。
【００１４】
前記変換手段は、前記選択手段により選択された前記第１の放送信号と前記第２の放送信号を、前記第１の放送信号の解像度と前記第２の放送信号の解像度との間にある任意の解像度に変換してもよい。
【００１５】
前記選択手段により選択された前記第１の放送信号と前記第２の放送信号を記憶する放送信号記憶手段をさらに備え、
前記変換手段は、前記放送信号記憶手段に記憶された前記第１の放送信号と前記第２の放送信号を互いに共通の符号化方式に変換してもよい。
【００１６】
前記選択手段は、前記受信品質取得手段により取得された前記第１の放送信号の受信品質が所定の値を超えたと判別した場合に前記第１の放送信号を選択し、超えていないと判別した場合に前記第２の放送信号を選択してもよい。
【００１７】
前記第１の放送信号は、デジタルハイビジョン放送の放送信号であり、
前記第２の放送信号は、ワンセグ放送の放送信号であってもよい。
【００１８】
上記目的を達成するため、本発明の第２の観点に係るプログラムは、
コンピュータを、
第１の放送信号を受信する第１の放送受信手段と、
第２の放送信号を受信する第２の放送受信手段と、
前記第１の放送受信手段により受信された前記第１の放送信号と前記第２の放送受信手段により受信された前記第２の放送信号の受信品質を取得する受信品質取得手段と、
前記第１の放送信号による放送と前記第２の放送信号による放送とが実質的に同一であるか否かを判別するサイマル放送判別手段と、
前記サイマル放送判別手段により実質的に同一であると判別された場合、前記受信品質取得手段により取得された前記第１の放送信号と前記第２の放送信号の受信品質に基づいて、前記第１の放送受信手段により受信された前記第１の放送信号と前記第２の放送受信手段により受信された前記第２の放送信号のうち少なくとも何れか１つを選択する選択手段と、
前記選択手段により選択された前記第１の放送信号と前記第２の放送信号を互いに共通の符号化方式に変換する変換手段と、
前記変換手段により変換された前記第１の放送信号と前記第２の放送信号を連続的に再生可能な放送データとなるように結合する結合手段と、
前記結合手段により結合された放送データを記憶する記憶手段と、
として機能させることを特徴とする。
【発明の効果】
【００１９】
本発明によれば、受信する放送信号の受信品質を用いて、２つの放送信号を切り替えて録画する放送受信記録装置において、記録したサイマル放送中の複数の放送データを再生する際に、記録時に分断される放送データを一貫した放送コンテンツとして再生する放送受信記録装置及びプログラムを提供できる。
【図面の簡単な説明】
【００２０】
【図１】図２に示した制御部によって実現される機能を示すブロック図である。
【図２】本発明の実施形態１に係る放送受信記録装置の構成を示すブロック図である。
【図３】主放送及び副放送の電波を受信可能なエリアを示す図である。
【図４】本発明の実施形態１に係る主放送を録画する際の切替録画処理のフローチャートである。
【図５】本発明の実施形態１に係る受信品質と録画される放送データの時間推移を示す図である。
【図６】本発明の実施形態１に係る放送データの録画状態とサイマル放送時における結合後の放送データを示す図である。
【図７】本発明の実施形態２に係る主放送を録画する際の切替録画処理のフローチャートである。
【発明を実施するための形態】
【００２１】
（実施形態１）
以下、本発明に係る実施形態１について図１乃至図６を用いて説明する。
【００２２】
まず、図２は、本発明の実施形態１に係る放送受信記録装置を携帯電話端末１に適用した場合の構成の一例である。但し、適用先は携帯電話端末に限られず、ポータブル型テレビやノートパソコン等の携帯端末でもよい。
【００２３】
また、本実施形態に係る携帯電話端末１は、主放送と副放送を受信し、切り替えて録画する。ここで本実施形態では、主放送とは例えば高品質の地上デジタルハイビジョン放送等を指し、副放送とは主放送よりも品質に低いワンセグメント地上デジタル放送（いわゆる、ワンセグ放送）等のことを指す。図３に示すように、基地局２１から主放送及び副放送が送出されている場合、電界強度が強いエリア２２では両方の放送を受信品質が良好な状態で受信できるのに対し、電界強度の弱いエリア２３では副放送のみが受信品質が良好な状態で受信可能となる。このような電界強度の弱いエリア２３では、主放送の代替として副放送が利用される。
【００２４】
図２に示すように、本発明の実施形態に係る携帯電話端末１は、制御１１０、記憶部１２０、主放送受信部１３０、副放送受信部１４０、通信部１５０、操作部１６０、表示部１７０、音声出力部１８０を備える。
【００２５】
制御部１１０は、マイクロプロセッサ等から構成され、後述する記憶部１２０に格納された動作プログラムに従って、携帯電話端末１の全体の動作を制御する。例えば、主放送受信部１３０又は副放送受信部１４０で受信した放送の映像を表示部１７０に表示させ、音声を音声出力部１８０に出力させる。また、制御部１１０は、受信された放送データの記録方法を制御する。
【００２６】
制御部１１０は、記憶部１２０に格納されている動作プログラムを実行することで、図１に示すような機能が実現される。図１に示すように、制御部１１０は、受信品質測定部１１１、サイマル放送判別部１１２、記録制御部１１３、放送データ変換部１１４、放送データ結合部１１５、計時部１１６などとして機能する。
【００２７】
受信品質測定部１１１は、主放送受信部１３０及び副放送受信部１４０が受信している放送の受信品質を測定し、測定結果を記録制御部１１３に送る。ここで受信品質は、搬送波と雑音の比であるＣＮ比（Carrier to Noise Rate）やＢＥＲ（Bit Error Rate）、ＰＥＲ（Packet Error Rate）等によって表わされるが、これらの表現方法に限定されるものではない。なお、主放送受信部１３０及び副放送受信部１４０がそれぞれ別のものとして構成される場合等には、主放送受信部１３０から主放送のＣＮ比、副放送受信部１４０から副放送のＣＮ比といったようにそれぞれの放送についての受信品質を取得してもよい。
【００２８】
サイマル放送判別部１１２は、主放送受信部１３０及び副放送受信部１４０が受信している放送が同一のものかどうかを判別し、判別結果を記録制御部１１３に送る。判別方法としては、通信部１５０によりインターネットを介して外部のＥＰＧ（電子番組表）サイトから取得した主放送と副放送の番組情報の類似度を算出し、算出された類似度が所定の値よりも大きい場合にはサイマル放送であるとする方法がある。また、ある時点における主放送受信部１３０により受信された放送信号と副放送受信部１４０により受信された放送信号との相関度を算出するといった方法があるが、特に限定されるものではない。
【００２９】
記録制御部１１３は、受信品質測定部１１１の測定結果やサイマル放送判別部１１２の判別結果、操作部１６０からの操作信号に基づいて、受信・録画する放送を選択し、記憶部１２０に放送データを記録する。また、必要ならば、放送データ変換部１１４に放送データの符号変換を指示し、放送データ結合部１１５に放送データの結合を指示する。例えば、記録された放送データを副放送データの符号化方式及び解像度に統一する場合には、副放送データの変換は行わず、主放送データのみを変換するように放送データ変換部に指示する。また、例えばユーザが主放送の録画を希望する場合に、主放送と副放送の切り替えが行われず、主放送データのみが記憶部１２０に記録された場合には、変換及び結合の必要はないため、記録制御部１１３は、放送データ変換部１１４及び放送データ結合部１１５に指示をしない。
【００３０】
放送データ変換部１１４は、主放送と副放送を切り替えて録画したことにより分断化されて記憶部１２０に記録された複数の放送データの互いの符号化方式や解像度が同一となるように放送データを変換する。放送データ変換部１１４は、ソフトウェア、ハードウェアのどちらで構成されてもよい。なお、ここで使用する「解像度」とは表示に用いられる総画素数を示し、例えば地上デジタルハイビジョン放送であれば１４４０×１０８０、ワンセグ放送であれば３２０×２４０（最大）である。また、放送データ変換部１１４は、必要に応じて主放送受信部１３０、副放送受信部１４０が持つ復調信号の復号、分離機能を使用する。また、放送データ変換部１１４は、復調信号に対して符号化を行ってもよい。この符号化処理は、復号化処理を行わずに符号方式を変換するトランスコード処理であっても、復号化処理を行ってから新たに符号化を行うエンコード処理であってもどちらでもよい。
【００３１】
放送データ結合部１１５は、放送データ変換部１１４により同一の符号化方式・解像度を有することとなった複数の分断化された放送データを、一貫した放送コンテンツとして再生できる放送データとして結合し、記憶部１２０に記録する。
【００３２】
計時部１１６は、現在時刻を計時する。記録制御部１１３は、放送データの記録開始時刻や終了時刻を計時部１１６から取得し、記憶部１２０に記憶する。さらに、ユーザにより録画の予約が行われている場合には、記録制御部１１３は、計時部１１６から取得した時刻と記憶部１２０に記憶されている録画開始時刻とが一致した場合に、録画を開始する。
【００３３】
図２に戻って、記憶部１２０は、例えば携帯電話に内蔵されるメモリや取り外し可能な外部メモリ等から構成され、例えば制御部１１０の動作制御用プログラムや、受信された放送データ等を記憶する。
【００３４】
主放送受信部１３０は、アンテナ１３１等を介して受信した主放送の放送波の復調・復号を行う回路や、視聴するチャンネルを選択するための選局回路（チューナ）から構成される。
【００３５】
副放送受信部１４０は、アンテナ１４１等を介して受信した副放送の放送波の復調・復号を行う回路や、視聴するチャンネルを選択するための選局回路（チューナ）から構成される。副放送受信部１４０のチューナとして、ワンセグのみ受信可能なワンセグチューナを用いてもよいが、フルセグチューナを用いて、ワンセグ放送である副放送のみを抽出してもよい。
【００３６】
無線通信基地局を介して、通話音声や各種のデータ等を送受信する。例えば、通信部１５０は外部のＥＰＧサイトから番組情報等を取得する。
【００３７】
操作部１６０は、キーボードやボタン、切替スイッチ等から構成され、ユーザの操作に応じて操作信号を制御部１１０に入力する。
【００３８】
表示部１７０は、液晶や有機ＥＬ等の表示パネルとドライバ回路等から構成され、制御部１１０の制御により、放送データの映像を表示する。
【００３９】
音声出力部１８０は、ＤＡＣ（Digital to Analog Converter）、スピーカやイヤホン等で構成され、受信中の放送データ、又は記録された放送データの音声信号をＤＡ変換し、スピーカ等から出力する。
【００４０】
上述したように構成される本実施形態に係る携帯電話端末１は、図３に示すような電界強度の強いエリア２２では主放送及び副放送を良好な状態で受信及び録画が可能である。また、電界強度の弱いエリア２３では副放送を良好な状態で受信及び録画が可能である。そこで、以下では電界強度の強いエリア２２と電界強度の弱いエリア２３との間を移動するユーザが本実施形態に係る携帯電話端末１を用いて主放送を録画する場合の主放送と副放送の切替録画処理の概要について説明する。図４は、ユーザが録画したい番組が、主放送である場合の切替録画処理のフローチャートである。この切替録画処理は、ユーザ操作による操作部１６０からの主放送の録画開始を示す操作信号の受信や、予約録画の開始時刻が来たことにより開始する。
【００４１】
まず、記録制御部１１３は、記憶部１２０にアクセスし、主放送受信部１３０により受信し、復調・復号された放送データの記録を開始する（ステップＳ１０１）。また、記録制御部１１３は、記憶部１２０にアクセスし、計時部１１６から取得した現在時刻を主放送の録画開始時刻として記録するとともに、録画フラグに１を設定する。
【００４２】
次に、記録制御部１１３は、録画フラグが１か否か、すなわち現在記録している放送データが主放送の放送データであるか否かを判別する（ステップＳ１０２）。
【００４３】
録画フラグが１であると判別した場合（ステップＳ１０２；Ｙｅｓ）、記録制御部１１３は、受信品質測定部１１１からの主放送の受信品質の測定結果に基づいて、主放送が受信できるか否かを判別する（ステップＳ１０３）。なお、本実施形態において「主放送が受信可能」とは、主放送がその受信品質が良好な状態で受信可能であることをいい、具体的には、例えば受信品質測定部１１１から受信した主放送の受信品質が所定の基準値以下である場合には記録制御部１１３は「主放送が受信可能」であると判別し、所定の基準値未満である場合には「主放送が受信可能」でないと判別する。
主放送が受信できると判別された場合（ステップＳ１０３；Ｙｅｓ）、記録制御部１１３はステップＳ１０２に戻り主放送の録画を継続させる。
【００４４】
主放送が受信できないと判別された場合（ステップＳ１０３；Ｎｏ）、記録制御部１１３は、受信品質測定部１１１からの副放送の受信品質の測定結果に基づいて、副放送が受信できるか否かを判別する（ステップＳ１０４）。なお、本実施形態において「副放送が受信可能」とは、副放送がその受信品質が良好な状態で受信可能であることをいい、具体的には、例えば受信品質測定部１１１から受信した副放送の受信品質が所定の基準値以下である場合には記録制御部１１３は「副放送が受信可能」であると判別し、所定の基準値未満である場合には「副放送が受信可能」でないと判別する。
副放送の受信ができないと判別された場合（ステップＳ１０４；Ｎｏ）、主放送及び副放送の何れも受信できない状態であるため、記録制御部１１３はステップＳ１０２に戻り受信可能となるまで上述の処理を繰り返す。
【００４５】
副放送の受信ができると判別された場合（ステップＳ１０４；Ｙｅｓ）、サイマル放送判別部１１２は、主放送と副放送がサイマル放送であるか否かを判別する（ステップＳ１０５）。ここで、主放送と副放送がサイマル放送でないと判別された場合（ステップＳ１０５；Ｎｏ）、ステップＳ１０２に戻り上述の処理を繰り返す。
【００４６】
主放送と副放送がサイマル放送であると判断された場合（ステップＳ１０５；Ｙｅｓ）、記録制御部１１３は、録画する放送データの出力源を切り替え、る（ステップＳ１０６）。例えば、現在主放送受信部１３０からの主放送の放送データを記録している場合、記録制御部１１３は主放送の放送データの記録を停止し、副放送受信部１４０からの副放送の放送データの記録を開始する。また、現在副放送受信部１４０からの副放送の放送データを記録している場合、記録制御部１１３は副放送の放送データの記録を停止し、主放送受信部１３０からの主放送の放送データの記録を開始する。また、副放送の放送データの記録を開始した場合、記録制御部１１３は、記憶部１２０にアクセスして、計時部１１６から取得した現在時刻を主放送の録画停止時刻及び副放送の録画開始時刻として記録するとともに、録画フラグを０に設定する。また、主放送の放送データの記録を開始した場合、記憶部１２０にアクセスして、計時部１１６から取得した現在時刻を副放送の録画停止時刻及び主放送の録画開始時刻として記録するとともに、録画フラグを１に設定する。
【００４７】
また、ステップＳ１０２において録画フラグが１でないと判別した場合（ステップＳ１０２；Ｎｏ）、すなわち副放送を記録中である場合、記録制御部１１３は受信品質測定部１１１からの主放送の受信品質の測定結果に基づいて、主放送が受信できるか否かを判別する（ステップＳ１０７）。主放送の受信ができないと判別された場合（ステップＳ１０７；Ｎｏ）、記録制御部１１３はステップＳ１０２に戻り受信可能となるまで上述の処理を繰り返す。
【００４８】
一方、主放送の受信ができると判別された場合は（ステップＳ１０７；Ｙｅｓ）、ステップＳ１０５に進み、サイマル放送判別部１１２は、主放送と副放送がサイマル放送であるか否かを判別する。
【００４９】
以上の処理をユーザ操作による操作部１６０からの主放送の録画停止を示す操作信号を記録制御部１１３が受信したことや、予約録画の終了時刻が来たこと等の録画終了要件が成立するまで繰り返す。なお、主放送及び副放送の何れも受信できない場合、記録制御部１１３はそのまま録画を継続するのではなく、受信可能となるまで録画を停止してもよい。
【００５０】
録画終了要件が成立した場合、記録制御部１１３は記憶部１２０への放送データの記録を停止する（ステップＳ１０８）。
【００５１】
そして、放送データ変換部１１４は、必要に応じて記憶部１２０に記録された主放送の放送データ及び副放送の放送データの符号化方式及び解像度が同一となるように、放送データの変換を行う（ステップＳ１０９）。具体的には、所定の番組の録画をした場合に記憶部１２０に記憶された主放送データ及び副放送データからなる複数の放送データについて、副放送データの符号化方式及び解像度に統一する場合には、副放送データの変換は行わず、主放送の符号化方式及び解像度を副放送のものに変換する。
【００５２】
そして、放送データ結合部１１５は、放送データ変換部１１４により同一の符号化方式及び解像度を有することとなった複数の放送データを一貫した放送コンテンツとして再生できる放送データとして結合し、記憶部１２０に記録する（ステップＳ１１０）。そして、切替録画処理を終了する。
【００５３】
次に、切替録画処理のうち、録画終了要件が成立するまでの処理の時間推移の一例を図５に示す。図５の上部にあるグラフは、受信した主放送及び副放送のＣＮ比の時間推移を示す一例である。閾値Ｃ０は、副放送を問題なく受信、復調、復号化できるＣＮ比の数値を示す。一方、閾値Ｃ１は主放送を問題なく受信、復調、復号化できるＣＮ比の数値を示す。図５の下部にある図は、受信品質を表すＣＮ比の値に基づいて、携帯端末装置１が切り替えて録画する放送データを矩形で示している。図５中の主放送の放送データ３２ａは、副放送の放送データ３１ａよりその矩形の高さが大きくなるように表すことで、解像度の高低を矩形の高さの差で模式的に表現している。
【００５４】
図５の上部のグラフと下部の図の関係を時間軸に沿って説明する。ここでは、理解を容易にするため、主放送及び副放送のＣＮ比の値と閾値Ｃ０、Ｃ１を用いた単純なアルゴリズムで主放送及び副放送の切替を行っているが、放送種別の切替アルゴリズムはこれに限られず、主放送と副放送の放送データの録画切替が行われるものであれば、具体的なアルゴリズムは特に問わない。例えば、主放送信号及び副放送信号が合成された状態の放送信号のＣＮ比と主放送を問題なく受信、復調、復号化できる所定のＣＮ比との大小関係、又は副放送を問題なく受信、復調、復号化できる所定のＣＮ比との大小関係により主放送又は副放送の受信の可否を判別し、その結果に基づいて切り替えてもよい。また、ここでは主放送及び副放送のどちらも受信不可能である場合、受信可能となるまで録画を停止するものとし、主放送の放送データの録画中は副放送の放送データの録画は停止しているものとする。
【００５５】
まず、グラフの原点である時刻０において、ユーザ操作等により切替録画処理が開始されたとする。時刻０から時刻ｔ１において、主放送のＣＮ比は閾値Ｃ１を越えておらず、また副放送のＣＮ比も閾値Ｃ０を越えていない。すなわち、主放送も副放送のどちらも受信不可能であるため、携帯端末装置１は録画を停止している状態である（主放送及び副放送のどちらの放送データも録画されていない）。
【００５６】
続いて、時刻ｔ１から時刻ｔ２においては副放送のＣＮ比の値が閾値Ｃ０を越えているが、主放送のＣＮ比は閾値Ｃ１を越えていないため、副放送は受信可能であるが、主放送は受信不可能な状態である。従って、携帯端末装置１は時刻ｔ１にて副放送の放送データの記録を開始し、放送データ３１ａを記録する。
【００５７】
続いて、時刻ｔ２から時刻ｔ３においては主放送のＣＮ比の値が閾値Ｃ１を越えているため、主放送が受信可能な状態である。従って、携帯端末装置１は時刻ｔ２にて副放送の放送データの記録を停止するとともに、主放送の放送データの記録を開始し、放送データ３２ａを記録する。
【００５８】
続いて、時刻ｔ３から時刻ｔ４においては副放送のＣＮ比の値が閾値Ｃ０を越えているが、主放送のＣＮ比は閾値Ｃ１を越えていないため、副放送は受信可能であるが、主放送は受信不可能な状態である。従って、携帯端末装置１は時刻ｔ３にて主放送の放送データの記録を停止するとともに、副放送の放送データの記録を開始し、放送データ３１ｂを記録する。
【００５９】
続いて、時刻ｔ４から時刻ｔ５において、主放送のＣＮ比は閾値Ｃ１を越えておらず、また副放送のＣＮ比も閾値Ｃ０を越えていない。すなわち、主放送も副放送のどちらも受信不可能であるため、携帯端末装置１は時刻ｔ４にて副放送の放送データの記録を停止する。従って、時刻ｔ４から時刻ｔ５においては、主放送及び副放送のどちらの放送データも録画されていない。
【００６０】
続いて、時刻ｔ５から時刻ｔ６においては副放送のＣＮ比の値が閾値Ｃ０を越えているが、主放送のＣＮ比の値は閾値Ｃ１を越えていないため、副放送は受信可能であるが、主放送は受信不可能な状態である。従って、携帯端末装置１は時刻ｔ５にて副放送の放送データの記録を開始し、放送データ３１ｃを記録する。
【００６１】
続いて、時刻ｔ６以降では、主放送のＣＮ比の値が閾値Ｃ１を越えているため、主放送が受信可能な状態である。従って、携帯端末装置１は時刻ｔ６にて副放送の放送データの記録を停止するとともに、主放送の放送データの記録を開始し、放送データ３２ｂを記録する。
【００６２】
このように主放送と副放送を切り替えながら録画を行うと、主放送の放送データ３２ａ、３２ｂ、副放送の放送データ３１ａ、３１ｂ、３１ｃのように、分断化された放送データが記録される。そこで、一貫した放送データとして再生できるように分断化された放送データを結合する方法を説明する。
【００６３】
まず、時刻ｔ２に注目して、主放送と副放送を切り替えながら録画する際の問題点を説明する。時刻ｔ２の直前では、副放送の放送データ３１ａを記録しており、時刻ｔ２において主放送の放送データ３２ａを録画するように切り替える。このとき、副放送は放送映像例３３ａで示すように低解像度であり、主放送は放送映像例３３ｂで示すように高解像度であり、それぞれ解像度が異なる。したがって、放送映像例３３ａと放送映像例３３ｂを単純に結合すると、再生時の時刻ｔ２において解像度が突然高くなる。また、この解像度の移行は時刻ｔ２に限らず、主放送から副放送に切り替わる時刻ｔ３、副放送から主放送に切り替わる時刻ｔ６についても同様である。このような解像度の移行が頻繁に実行されると、ユーザは映像を視聴し辛くなる。
【００６４】
そこで、ユーザが録画コンテンツを視聴する際に、解像度の移行が生じないようにするため、主放送の放送データと副放送の放送データを図６に示すように結合する。
【００６５】
図６は、サイマル放送判別部１１２の判別結果がサイマル放送である場合における主放送及び副放送の結合方法を表した図である。
図６（ａ）は、主放送と副放送を切り替えて録画した場合において、放送データが分断化した状態を示したものであり、図５の下部と同一のものである。
図６（ｂ）は、主放送の放送データと副放送の放送データを単純に結合した場合の放送データの状態を表したものである。前述のように、主放送の放送データ及び副放送の放送データの解像度が異なるため、時刻ｔ２、ｔ３、ｔ６では表示中に解像度が移行する。なお、時刻ｔ４から時刻ｔ５にかけては、主放送の放送データ及び副放送の放送データともに記録されていないため、この区間は結合時に省略してもよい。また、黒い画面等で補間してもよい。
図６（ｃ）は、主放送の放送データの解像度を副放送の解像度に統一し、主放送データと副放送データをそれぞれの録画開始時刻及び録画停止時刻に基づいて結合した場合の録画データの状態を表したものである。図６（ｃ）では、例えば副放送の解像度に統一した場合を示しているが、これに限られず、主放送の解像度に統一したり、主放送と副放送の解像度の間にある値も統一したり、任意の値に統一することができる。また、ユーザが統一したい解像度を操作部１６０を用いて選択できるようにしてもよい。これにより、放送データの表示中に解像度が移行することはない。なお、時刻ｔ４から時刻ｔ５の結合方法は図６（ｂ）で説明した方法と同様である。
【００６６】
また、主放送の放送データと副放送の放送データの符号化方式が異なる場合は、ある統一した符号化方式に変換してもよい。採用する符号化方式は、主放送の放送データの符号化方式、副放送の放送データの符号化方式に限らず、それら以外の符号化方式に統一してもよい。また、ユーザが統一したい符号化方式を操作部１６０を用いて選択できるようにしてもよい。
【００６７】
このように、主放送が受信できない場合、サイマル放送であるか否かを判定した後にサイマル放送である場合には副放送に切り替えて録画し、サイマル放送でない場合には副放送に切り替えずに主放送のまま録画を行うことによって、主放送を録画したいユーザが録画していた番組と異なる番組へ切り替わることを防ぎ、かつサイマル放送である場合には代替的に録画された副放送により、途切れることなく放送コンテンツを録画することが可能である。さらに、主放送と副放送とを切り替えて録画した際に生じた複数の分断化された放送データを、同一の解像度、同一の符号化方式に変換した後に結合することで、一貫した放送コンテンツとして再生可能であり、かつ視聴者が放送の切り替えを意識しにくく見やすい表示を行うことが可能である。
【００６８】
（実施形態２）
次に、本発明に係る実施形態２について説明する。実施形態１では録画終了要件成立後に録画を停止し、放送データの変換を行うが、実施形態２では放送データの記録中に放送データの変換を行う。ここで、実施形態２における携帯電話端末１の構成は、実施形態１におけるものと同様であるため、その説明を省略する。
【００６９】
次に、主放送を録画する場合の主放送と副放送の切替処理の概要について説明する。図７は、ユーザが録画したい番組が、主放送である場合の切替録画処理のフローチャートである。この切替録画処理は、ユーザ操作による操作部１６０からの主放送の録画開始を示す操作信号の受信や、予約録画の開始時刻が来たことにより開始する。
【００７０】
まず、サイマル放送判別部１１２は、主放送と副放送がサイマル放送であるか否かを判別する（ステップＳ２０１）。
【００７１】
サイマル放送であると判別した場合（ステップＳ２０１；Ｙｅｓ）、記録制御部１１３は、主放送受信部１３０により受信し、復調・復号された放送データを放送データ変換部１１４へ送る。そして、放送データ変換部１４０は、主放送の放送データの符号化方式及び解像度が例えば予め記憶部１２０に記憶された所定の符号化方式及び解像度となるように、放送データの変換を行い、変換後の放送データを記憶部１２０に記録する（ステップＳ２０２）。以下、受信した放送データを直接放送データ変換部１４０に送って変換した後に記憶部１２０に記憶させる処理を「トランスコード録画」と呼ぶ。また、記録制御部１１３は、記憶部１２０にアクセスし、計時部１１６から取得した現在時刻を主放送の録画開始時刻として記録するとともに、録画フラグに１、サイマルフラグに１を設定する。
【００７２】
サイマル放送でないと判別した場合（ステップＳ２０１；Ｎｏ）、記録制御部１１３は、主放送受信部１３０により受信し、復調・復号された放送データの記憶部１２０への記録を開始する（ステップＳ２０３）。また、記録制御部１１３は、記憶部１２０にアクセスし、録画フラグに１、サイマルフラグに０を設定する。
【００７３】
次に、記録制御部１１３は、録画フラグが１か否か、すなわち現在記録している放送データが主放送の放送データであるか否か判別する（ステップＳ２０４）。
【００７４】
録画フラグが１であると判別した場合（ステップＳ２０４；Ｙｅｓ）、記録制御部１１３は操作部１１１から主放送の録画実行の操作信号を受信した制御部１１０は、受信品質測定部１１１からの主放送の受信品質の測定結果に基づいて、主放送が受信できるか否かを判別する（ステップＳ２０５）。主放送が受信できると判別された場合（ステップＳ２０５；Ｙｅｓ）、記録制御部１１３はステップＳ２０４に戻り主放送の録画を継続させる。なお、主放送及び副放送の受信可能の可否の判別については、実施形態１と同様に行うことが可能であるため、その説明を省略する。
【００７５】
主放送が受信できないと判別された場合（ステップＳ２０５；Ｎｏ）、記録制御部１１３は、受信品質測定部１１１からの副放送の受信品質の測定結果に基づいて、副放送が受信できるか否かを判別する（ステップＳ２０６）。副放送の受信ができないと判別された場合（ステップＳ２０６；Ｎｏ）、主放送及び副放送の何れも受信できない状態であるため、記録制御部１１３はステップＳ２０４に戻り受信可能となるまで上述の処理を繰り返す。
【００７６】
副放送の受信ができると判別された場合（ステップＳ２０６；Ｙｅｓ）、記録制御部１１３は、サイマルフラグが１か否か、すなわち主放送と副放送がサイマル放送であるか否かを判別する（ステップＳ２０７）。ここで、主放送と副放送がサイマル放送でないと判別された場合（ステップＳ２０７；Ｎｏ）、ステップＳ２０４に戻り上述の処理を繰り返す。
【００７７】
主放送と副放送がサイマル放送であると判断された場合（ステップＳ２０７；Ｙｅｓ）、記録制御部１１３は、録画する放送データの出力源を切り替える（ステップＳ２０８）。例えば、現在主放送受信部１３０からの主放送の放送データをトランスコード録画している場合、記録制御部１１３は主放送の放送データの記録を停止し、副放送受信部１４０からの副放送の放送データのトランスコード録画を開始する。このとき、放送データ変換部１４０は、主放送の放送データの符号化方式及び解像度と同一の符号化方式及び解像度となるように、副放送の放送データの変換を行い、変換後の放送データを記憶部１２０に記録する。また、現在副放送受信部１４０からの副放送の放送データをトランスコード録画している場合、記録制御部１１３は副放送の放送データの記録を停止し、主放送受信部１３０からの主放送の放送データのトランスコード録画を開始する。また、副放送の放送データのトランスコード録画を開始した場合、計時部１１６から取得した現在時刻を主放送の録画停止時刻及び副放送の録画開始時刻として記録するとともに、録画フラグを０に設定する。また、主放送の放送データのトランスコード録画を開始した場合、計時部１１６から取得した現在時刻を副放送の録画停止時刻及び主放送の録画開始時刻として記録するとともに、録画フラグを１に設定する。なお、主放送データ及び副放送データの符号化方式及び解像度の変換については、実施形態１と同様に行うことが可能であるため、その説明を省略する。
【００７８】
また、ステップＳ２０４において録画フラグが１でないと判別した場合（ステップＳ２０４；Ｎｏ）、すなわち副放送を記録中である場合、記録制御部１１３は受信品質測定部１１１からの主放送の受信品質の測定結果に基づいて、主放送が受信できるか否かを判別する（ステップＳ２０９）。主放送の受信ができないと判別された場合（ステップＳ２０９；Ｎｏ）、記録制御部１１３はステップＳ２０４に戻り受信可能となるまで上述の処理を繰り返す。
【００７９】
一方、主放送の受信ができると判別された場合は（ステップＳ２０９；Ｙｅｓ）、再度、サイマル放送判別部１１２は、主放送と副放送がサイマル放送であるか否かを判別する（ステップＳ２１０）。このように再度サイマル放送の判別を行うのは、主放送が受信可能となった場合に、すでにサイマル放送の状況が変化し、サイマル放送でなくなっている可能性があるからである。
【００８０】
サイマル放送であると判別した場合（ステップＳ２１０；Ｙｅｓ）、記録制御部１１３は、記憶部１２０にアクセスし、サイマルフラグに１を設定する（ステップＳ２１１）。その後、ステップＳ２０８に進む。
【００８１】
サイマル放送でないと判別した場合（ステップＳ２１０；Ｎｏ）、記録制御部１１３は、記憶部１２０にアクセスし、サイマルフラグに０を設定する（ステップＳ２１２）。その後、ステップＳ２０４に進む。
【００８２】
以上の処理をユーザ操作による操作部１６０からの主放送の録画停止を示す操作信号の受信や、予約録画の終了時刻が来たこと等の録画終了要件が成立するまで繰り返す。なお、主放送及び副放送の何れも受信できない場合、記録制御部１１３はそのまま録画を継続するのではなく、受信可能となるまで録画を停止してもよい。
【００８３】
録画終了要件が成立した場合、記録制御部１１３は記憶部１２０への放送データの録画を停止する（ステップＳ２１３）。
【００８４】
そして、放送データ結合部１１５は、同一の符号化方式及び解像度を有する記憶部１２０に記憶された複数の放送データを一貫した放送コンテンツとして再生できる放送データとして結合し、記憶部１２０に記録する（ステップＳ２１４）。そして、切替録画処理を終了する。なお、主放送データ及び副放送データの結合については、実施形態１と同様に行うことが可能であるため、その説明を省略する。
【００８５】
このように、サイマル放送である場合には主放送をトランスコード録画し、主放送が受信できない場合には副放送をトランスコード録画し、サイマル放送でない場合には副放送に切り替えずに主放送のまま通常の録画を行うことによって、主放送を録画したいユーザが録画していた番組と異なる番組へ切り替わることを防ぎ、かつサイマル放送である場合には代替的に録画された副放送により、途切れることなく放送コンテンツを録画することが可能である。さらに、主放送と副放送とをトランスコード録画し、複数の分断化された放送データを結合することで、一貫した放送コンテンツとして再生可能であり、かつ視聴者が放送の切り替えを意識しにくく見やすい表示を行うことが可能である。
【００８６】
なお、本発明は、上記の実施形態に限定されず、種々の変形及び応用が可能である。
【００８７】
本発明の実施形態１及び実施形態２では、ユーザが主放送を録画したい場合の切替録画処理について説明したが、例えばユーザが副放送の録画を希望する場合であって、主放送と副放送がサイマル放送である場合に、より高画質の主放送を優先的に録画し、主放送で受信できない部分については副放送として録画することを希望する場合においても、上述した切替録画処理を用いてもよい。
具体的には、ユーザ操作による操作部１６０からの副放送の録画開始を示す操作信号の受信や、副放送の予約録画の開始時刻が来たことにより切替録画処理が開始される。そして、記録制御部１１３は、副放送受信部１４０により受信し、復調・復号された放送データの記憶部１０５への記録を開始する。また、記録制御部１１３は、記憶部１２０にアクセスし、録画フラグに０を設定する。この後、図４のステップＳ１０２以降と同様の処理を行えばよい。
なお、ユーザが副放送の録画を希望するが、主放送への切替を希望しない場合には、受信可能か否か、及びサイマル放送か否かの判別を行わずに、継続的に副放送の受信・録画を行ってもよい。
【００８８】
本発明の実施形態１及び実施形態２では、サイマル放送である場合に切替録画処理を行い、符号化方式等の変換及び分断化された放送データの結合を行った。しかし、サイマル放送でない場合に記録された主放送データや副放送データについては、どちらか一方の放送データのみが記録されている状態であるため、符号化方式の変換を行わなくてもよい。また、サイマル放送でない場合に記録された主放送データや副放送データについて、分断化された主放送データ同士の結合、分断化された副放送データ同士の結合を行ってもよい。
【００８９】
本発明の実施形態１及び実施形態２では、図１や図３に示すように、主放送受信部１３０及び副放送受信部１４０が、それぞれ別々に構成されているが、１つの放送受信部として一体に構成されてもよい。具体的には、主放送と副放送を両方受信可能なフルセグチューナを用いて、受信した放送信号から主放送データ及び副放送データをそれぞれ抽出することにより可能である。
【００９０】
本発明の実施形態１及び実施形態２では、主放送と副放送の切り替えの際に、一方の録画を停止してから他方の録画を開始している。しかし、録画を停止せずに、主放送データ及び副放送データの両方を同時に録画してもよい。この場合には、両方の受信品質を監視し、所定の基準値よりも大きくなった時刻及び小さくなった時刻を記憶部１２０に記憶しておき、録画を終了してから記憶された時刻に基づいて良好に受信及び録画された放送データを切り出し、結合してもよい。
【００９１】
また、本発明の実施形態２では、主放送及び副放送の両方についてトランスコード録画を行ったが、どちらか一方の放送データの符号化方式及び解像度に統一する場合、その放送データはトランスコード録画しなくてもよい。具体的には、副放送データの符号化方式及び解像度に統一する場合には、副放送データについてはトランスコード録画せずにそのまま録画し、主放送データについてのみトランスコード録画を行ってもよい。
【００９２】
また、本発明の実施形態１及び実施形態２では、主放送及び副放送の両方がデジタル放送である場合について述べたが、両放送がデジタル放送でなくてもよく、例えば、副放送がアナログ放送であってもよい。この場合、副放送受信部１４０のチューナとしてアナログ放送用のチューナを用いればよい。
【００９３】
なお、本発明の実施形態１及び実施形態２にかかる携帯電話端末１により実行される切替録画処理は、コンピュータによって実現することもできる。例えば、携帯電話端末１の記憶部１２０に記憶されているプログラムを、フレキシブルディスク、ＣＤ−ＲＯＭ（Compact Disk Read-Only Memory）、ＤＶＤ（Digital Versatile Disk）、ＭＯ（Magneto-Optical disk）等のコンピュー読み取り可能な記録媒体に格納して配布し、そのプログラムをコンピュータにインストールすることにより、上述の処理を実行する装置を構成することができる。
【００９４】
また、プログラムをインターネット等の通信ネットワーク上の所定のサーバ装置が有するディスク装置等に格納しておき、例えば、搬送波に重畳させて、コンピュータにダウンロード等するようにしてもよい。
【００９５】
また、通信ネットワークを介してプログラムを転送しながら起動実行することによっても、上述の処理を達成することができる。
さらに、プログラムの全部又は一部をサーバ装置上で実行させ、その処理に関する情報をコンピュータが通信ネットワークを介して送受信しながらプログラムを実行することによっても、上述の処理を達成することができる。
【００９６】
なお、上述の機能を、ＯＳ（Operating System）が分担して実現する場合又はＯＳとアプリケーションとの協働により実現する場合等には、ＯＳ以外の部分のみを媒体に格納して配布してもよく、また、コンピュータにダウンロード等してもよい。
【符号の説明】
【００９７】
１…携帯電話端末、１１０…制御部、１１１…受信品質測定部、１１２…サイマル放送判別部、１１３…記録制御部、１１４…放送データ変換部、１１５…放送データ結合部、１１６…計時部、１２０…記憶部、１３０…主放送受信部、１３１…アンテナ、１４０…副放送受信部、１４１…アンテナ、１５０…通信部、１６０…操作部、１７０…表示部、１８０…音声出力部、２１…基地局、２２…電界強度の強いエリア、２３…電界強度の弱いエリア、３１ａ、３１ｂ、３１ｃ…副放送データ、３２ａ、３２ｂ…主放送データ、３３ａ…副放送の放送映像例、３３ｂ…主放送の放送映像例
【図１】
2010283621.tif 000003
【図２】
2010283621.tif 000004
【図３】
2010283621.tif 000005
【図４】
2010283621.tif 000006
【図５】
2010283621.tif 000007
【図６】
2010283621.tif 000008
【図７】
2010283621.tif 000009